(57)【特許請求の範囲】
【請求項１】
光ケーブルから引き出された複数の光ファイバテープ心線を束ねるスパイラルチューブを光ファイバテープ心線の長手方向に沿って間隔を介して複数設け、これらのスパイラルチューブによって束ねた光ファイバテープ心線群を形成し、該光ファイバテープ心線群に設けた複数のスパイラルチューブの内、心線固定部に隣接するスパイラルチューブを光ファイバテープ心線の長手方向にスライド移動させて前記心線固定部に位置合わせし、この位置合わせしたスパイラルチューブを介して前記各光ファイバテープ心線群を前記心線固定部に固定部材で固定し、該心線固定部から先の光ファイバテープ心線をそれぞれ対応する接続部に導いて接続することを特徴とする光ファイバテープ心線の配線固定方法。
【発明の詳細な説明】
【０００１】
【発明の属する技術分野】
本発明は、光通信などに用いられる光ケーブルに収容されている光ファイバテープ心線を光ケーブルから引き出して、光ファイバテープ心線の接続部まで配線するときに用いられる、光ファイバテープ心線の配線固定方法に関するものである。
【０００２】
【従来の技術】
例えば、光通信用として種々の光ケーブルが用いられており、光ケーブルの一例として、図５に示すような断面形状を有する光ケーブル９が用いられている。同図に示す光ケーブル９は、スロット４の外周側に光ファイバテープ心線を押えるための押え用のテープ(図示せず)および、この押え用テープを固定するためのポリエチレンなどのシース１５を設けて形成されている。スロット４は、円柱形状の外周側に複数の光ファイバテープ収容溝６を形成して形成されており、各光ファイバテープ収容溝６には、光ファイバテープ心線２が５〜１０枚といった複数の数(同図では５枚)収容されている。
【０００３】
光ファイバテープ心線２は、周知の如く、複数(同図では４本)の光ファイバ１を並設し、これらの光ファイバ１の外周側に被覆を設けてテープ状に形成されている。なお、同図においては、図の簡略化のために、１本の光ファイバテープ心線２を除いては、光ファイバ１を省略して示している。
【０００４】
ところで、このような光ケーブル９を用いて行われる光通信の一例として、例えば電話通信などの加入者系光通信システムがあり、このような加入者系光通信システムにおいては、電話加入者などの加入者と局とを光ケーブル９により接続し、例えば図４に示すような収納架１６を有する収納架装置を用いて光ケーブル９の端末１０を局内に収納することが行われている。
【０００５】
収納架１６には、光ケーブル９を導入するケーブル導入口２４が形成されており、また、収納架１６内には、棚状の光コネクタ接続部１１(１１ａ，１１ｂ)が複数(同図では２個)設けられている。光コネクタ接続部１１ａ，１１ｂは、光ケーブル９から引き出された光ファイバテープ心線２の先端側に設けられる光コネクタ１３を接続するものであり、各光コネクタ接続部１１ａ，１１ｂには、図示されていないコネクタ用アダプタが複数設けられている。
【０００６】
さらに、収納架１６内には、光ケーブル９の端末１０から引き出された光ファイバテープ心線２を固定するために、例えば円柱状の心線固定部５が設けられており、光ケーブル９から引き出された光ファイバテープ心線２が保護チューブ２２に通され、光ファイバテープ心線２は、保護チューブ２２の上からインシュロックやタイラップ等の固定部材８により心線固定部５に固定されていた。
【０００７】
なお、保護チューブ２２の長さは、例えば約１ｍの予め定められた長さであり、光ファイバテープ心線２を心線固定部５に固定するときには、予め固定部材８を保護チューブ２２の先端部に設けておいて、前記の如く、固定部材８により保護チューブ２２の上から光ファイバテープ心線２を固定していた。
【０００８】
【発明が解決しようとする課題】
しかしながら、従来は、上記のように、光ファイバテープ心線２を収納架１６内に配線固定する場合に、予め定められた長さの保護チューブ２２を光ファイバテープ心線２に取り付けて光ファイバテープ心線２を配線固定していたため、例えば収納架１６によって心線固定部５の取り付け位置が異なる場合には、光ファイバテープ心線２の光ケーブル９からの引き出し位置と心線固定部５との距離に対応させて、互いに長さの異なる複数の保護チューブ２２を用意し、心線固定部５の取り付け位置と光ファイバテープ心線２の光ケーブル９からの引き出し位置との距離にあった保護チューブ２２を用いて、光ファイバテープ心線２の固定を行なわなければならないといった問題があった。
【０００９】
また、収納架１６において、例えば心線固定部５の取り付け位置を変更しようとすると、保護チューブ２２の長さが合わなくなるために、例えば、いろいろな長さの保護チューブ２２を用意しておき、心線固定部５の取り付け位置に対応させて、保護チューブ２２に光ファイバテープ心線２を通し直さなければならないといったように、面倒な作業が必要となり、光ファイバテープ心線２の固定位置の変更を容易に行なうことができないといった問題が生じた。
【００１０】
本発明は、上記従来の課題を解決するためになされたものであり、その目的は、光ケーブルに収容されている光ファイバテープ心線を光ケーブルから引き出して光ファイバテープ心線の接続部まで配線するときに、光ファイバテープ心線を固定する固定位置がどのような位置にあっても、また、光ファイバテープ心線の固定位置が変更されても、容易に光ファイバテープ心線を固定位置に固定して配線することができる光ファイバテープ心線の配線固定方法を提供することにある。
【００１２】
【課題を解決するための手段】
上記目的を達成するために、本発明は次のような構成をもって課題を解決するための手段としている。すなわち、本発明の光ファイバテープ心線の配線固定方法は、光ケーブルから引き出された複数の光ファイバテープ心線を束ねるスパイラルチューブを光ファイバテープ心線の長手方向に沿って間隔を介して複数設け、これらのスパイラルチューブによって束ねた光ファイバテープ心線群を形成し、該光ファイバテープ心線群に設けた複数のスパイラルチューブの内、心線固定部に隣接するスパイラルチューブを光ファイバテープ心線の長手方向にスライド移動させて前記心線固定部に位置合わせし、この位置合わせしたスパイラルチューブを介して前記各光ファイバテープ心線群を前記心線固定部に固定部材で固定し、該心線固定部から先の光ファイバテープ心線をそれぞれ対応する接続部に導いて接続する構成をもって課題を解決する手段としている。
【００１３】
上記構成の本発明において、光ケーブルから引き出された複数の光ファイバテープ心線がスパイラルチューブによって束ねられて光ファイバテープ心線群が形成されており、スパイラルチューブは光ファイバテープ心線に対して容易に取り付け可能であるために、任意の位置に容易に取り付けることができるし、スパイラルチューブは、スパイラルチューブ自身では容易に動かないが、人手によっては、光ファイバテープ心線の長手方向に容易にスライド移動自在であるために、前記任意の位置に取りつけたスパイラルチューブを光ファイバテープ心線の長手方向にスライド移動させることにより、スパイラルチューブの位置を心線固定部の位置に合わせることが可能となる。
【００１４】
そして、本発明においては、スパイラルチューブによって束ねた光ファイバテープ心線群が前記スパイラルチューブを介して心線固定部に固定部材で固定されるため、光ファイバテープ心線を配線固定するときに、光ファイバテープ心線を固定する固定位置がどのような位置にあっても、また、光ファイバテープ心線の固定位置が変更されても、容易にスパイラルチューブの位置を心線固定部(光ファイバテープ心線の固定位置)に位置合わせし、光ファイバテープ心線を固定位置に固定して配線することが可能となり、上記課題が解決される。
【００１５】
【発明の実施の形態】
以下、本発明の実施の形態を図面に基づいて説明する。なお、本実施形態例の説明において、従来例と同一名称部分には同一符号を付し、その重複説明は省略する。図１には、一実施形態例として、本発明の光ファイバテープ心線の配線固定方法を適用した光ケーブル収納架装置の要部構成が断面図により示されている。
【００１６】
同図において、収納架１６には、図４に示した従来例と同様のケーブル導入口２４と、心線固定部５と、複数の光コネクタ接続部１１ａ，１１ｂとが設けられている。本実施形態例が従来例と異なる特徴的なことは、光ケーブル９の端末１０から引き出された複数の光ファイバテープ心線２が、複数のプラスチック製のスパイラルチューブ３によって束ねられて、光ファイバテープ心線群１２が複数形成され、図の紙面に垂直な方向に複数配列され、これらの各光ファイバテープ心線群１２がそれぞれスパイラルチューブ３を介して固定部材８で心線固定部５に固定されていることである。
【００１７】
なお、本実施形態例では、図５に示した光ケーブル９のスロット４の光ファイバテープ収容溝６毎に、５枚ずつ光ファイバテープ心線２をスパイラルチューブ３によって束ねており、合計５個の光ファイバテープ心線群１２を形成して配線しているが、図１には、図の簡略化のために２個の光ファイバテープ心線群１２のみ示してある。
【００１８】
また、本実施形態例でも、従来例と同様に、心線固定部５から先の光ファイバテープ心線２は、それぞれ対応する光コネクタ接続部１１ａ，１１ｂに導出されて、光ファイバテープ心線２の先端の光コネクタ１３が光コネクタ接続部１１ａ，１１ｂに設けられたコネクタ用アダプタに接続されているが、本実施形態例では、心線固定部５から先に設けられたスパイラルチューブ３(３ａ)によって、心線固定部５よりも先の光ファイバテープ心線２も途中までは束ねられている。
【００１９】
さらに、心線固定部５より先の光ファイバテープ心線２に設けられているスパイラルチューブ３(３ａ)には、光ケーブル９のどのスロット４から光ファイバテープ心線２を引き出したかが識別できるように、スロット識別用の識別テープ(図示せず)が取り付けてある。
【００２０】
図３に示すように、スパイラルチューブ３は、例えばプラスチックのシートをらせん状に巻回した状態に成形したものであり、図中、２０に示す重なり部分を有しているが、この重なり部分２０は、接着剤などによって固定されているわけではなく、この重なり部分２０に光ファイバテープ心線２などを挿入することにより、スパイラルチューブ３を容易に光ファイバテープ心線２に取り付けることができるし、その逆の操作を行なうことにより、スパイラルチューブ３を容易に光ファイバテープ心線２から取り外すことができるものである。
【００２１】
また、スパイラルチューブ３は、スパイラルチューブ自身では容易に動かない程度の圧迫力を光ファイバテープ心線２に付した状態で光ファイバテープ心線２を束ねている。そして、スパイラルチューブ３は光ファイバテープ心線２の自重によっては動くことがないが、人手によって、容易に光ファイバテープ心線２の長手方向にスライド移動させることができる。
【００２２】
さらに、スパイラルチューブ３には、スパイラルチューブ３を光ファイバテープ心線２に取り付けたり取り外したりする動作と同様の動作を行なうことにより、前記識別テープなどのテープ状の部材を容易に取り付けたり、取り外したりすることができる。
【００２３】
本実施形態例は以上のように構成されており、光ファイバテープ心線２を配線するときには、以下のようにして行なう。まず、光ケーブル９を収納架１６に導入して光ファイバテープ心線２を引き出し、図２に示すように、引き出された複数の光ファイバテープ心線２を束ねるスパイラルチューブ３を、光ファイバテープ心線２の長手方向に沿って間隔を介して複数設け、これらのスパイラルチューブ３によって束ねた光ファイバテープ心線群１２を複数形成する。なお、同図には、図の簡略化のために、１つの光ファイバ心線群１２のみ示してある。
【００２４】
そして、各光ファイバテープ心線群１２に設けた複数のスパイラルチューブ３(例えば３ａ，３ｂ，３ｃ)の内、心線固定部５に隣接するスパイラルチューブ３(例えば３ｂ)をそれぞれ、光ファイバテープ心線２の長手方向にスライド移動させて心線固定部５に位置合わせし、この位置合わせしたスパイラルチューブ３ｂを介して、各光ファイバテープ心線群１２を従来例と同様の固定部材８で心線固定部５に固定する。その後、心線固定部５から先の光ファイバテープ心線２をそれぞれ対応する光コネクタ接続部１１ａ，１１ｂに導いて、光ファイバテープ心線２の先端の光コネクタ１３を光コネクタ接続部１１ａ，１１ｂのコネクタ用アダプタに接続する。
【００２５】
本実施形態例によれば、光ファイバテープ心線２に対して取り付けおよびスライド移動が容易にできるスパイラルチューブ３を用い、光ファイバテープ心線２を束ねて光ファイバテープ心線群１２を複数形成し、これらの光ファイバテープ心線群１２を、スパイラルチューブ３を介して心線固定部５に固定部材８で固定するようにしたために、スパイラルチューブ３を任意の位置に容易に取り付け、光ファイバテープ心線２の長手方向にスライド移動させて、スパイラルチューブ３(３ｂ)の位置を、容易に心線固定部５の位置に合わせすることができ、この位置合わせしたスパイラルチューブ３(３ｂ)を介して、心線固定部５に容易に固定することができる。
【００２６】
そのため、本実施形態例によれば、心線固定部５がどのような位置にあっても、また、心線固定部５の取り付け位置が収納架装置の使用途中などに変更されても、光ファイバテープ心線２を心線固定部５に容易に固定して配線することが可能となり、収納架１６の構造によらず、光ケーブル９から引き出した光ファイバテープ心線２を非常に容易に配線固定することができる。
【００２７】
また、本実施形態例によれば、心線固定部５の先の光ファイバテープ心線２にもスパイラルチューブ３(３ａ)が設けられているために、光ファイバテープ心線２を心線固定部５から光コネクタ接続部１１ａ，１１ｂに導くときに、光ファイバテープ心線２がばらばらになることを防ぐことができ、光ファイバテープ心線２の光コネクタ１３を対応する光コネクタ接続部１１ａ，１１ｂに導出して接続する作業も行ないやすくすることができる。
【００２８】
さらに、本実施形態例によれば、光ケーブル９のどのスロット４から光ファイバテープ心線２を引き出したかを識別できるように、スパイラルチューブ３ａにスロット識別用の識別テープを取り付けたために、光ファイバテープ心線２の光コネクタ１３を、対応する光コネクタ接続部１１ａ，１１ｂに導出して接続する作業も非常に行ないやすいし、光コネクタ１３の接続後にも、どのスロット４から引き出された光ファイバテープ心線２がどの光コネクタ接続部１１ａ，１１ｂに接続されているかを一目で識別することができ、非常に便利である。
【００２９】
なお、本発明は上記実施形態例に限定されることはなく様々な実施の態様を採り得る。例えば、上記実施形態例では、光ファイバテープ心線２の長手方向に沿って、それぞれ３つのスパイラルチューブ３を設けて各光ファイバテープ心線群１２を形成したが、光ファイバテープ心線２をスパイラルチューブ３によって束ねて光ファイバテープ心線群１２を形成する際に、光ファイバテープ心線２の長手方向にそれぞれ設けるスパイラルチューブ３の数は特に限定されるものではなく、適宜設定されるものであり、１つでもよいし、３つ以外の複数でもよい。
【００３０】
ただし、上記実施形態例のように、複数のスパイラルチューブ３を光ファイバテープ心線２の長手方向に沿って設けておき、そのうちの心線固定部５に隣接するスパイラルチューブ３をスライド移動させて心線固定部５に位置合わせするようにすると、位置合わせするスパイラルチューブ３のスライド移動量を小さくすることができ、光ファイバテープ心線２の配線作業をより一層容易に行なうことができる。また、複数のスパイラルチューブ３によって光ファイバテープ心線２を束ねると、たとえ光ファイバテープ心線２の光ケーブル９からの引き出し長さが長くても、光ファイバテープ心線２がばらばらになることを防いで、光ファイバテープ心線２の配線作業を行ないやすくすることができる。
【００３１】
また、上記実施形態例では、光ファイバテープ心線群１２を形成する際に、光ファイバテープ心線２の長手方向に設けた複数のスパイラルチューブ３(３，３ｂ，３ｃ)を取り付けたままにしたが、光ファイバテープ心線２を心線固定部５に固定するために用いられるスパイラルチューブ３(３ｂ)以外のスパイラルチューブ(３ａ，３ｃ)は、取り付けたままにしてもよいし、取り外しても構わない。なお、スパイラルチューブ３は光ファイバテープ心線２に対して容易に取り外しができるために、このように、スパイラルチューブ３の取り外しを行なうときにも、その作業は容易に行なうことができる。
【００３２】
さらに、上記実施形態例では、光ケーブル９から引き出される光ファイバテープ心線２をスパイラルチューブ３により束ねて、複数の光ファイバテープ心線群１２を形成したが、例えば光ケーブル９に収容されている光ファイバテープ心線２の数が少ない場合などは、光ケーブル９から引き出されて光ファイバテープ心線２を一纏めにスパイラルチューブ３によって束ねて光ファイバテープ心線群１２としてもよい。このようにした場合も、スパイラルチューブ３を介して光ファイバテープ心線２を心線固定部５に固定することにより、上記実施形態例と同様の効果を奏することができる。
【００３３】
さらに、上記実施形態例では、心線固定部５を円柱状に形成したが、心線固定部５の形状などは特に限定されるものではなく、適宜設定されるものである。
【００３４】
さらに、上記実施形態例では、本発明の光ファイバテープ心線の配線固定方法を、光ケーブル９などの光部品を収納する収納架１６を備えた収納架装置に適用したが、本発明の光ファイバテープ心線の配線固定方法は、必ずしも収納架装置にのみ適用するとは限らず、光ケーブルから引き出された複数の光ファイバ心線を心線固定部に固定し、対応する接続部に接続する構成を有する装置などに様々に適用できるものである。
【００３５】
【発明の効果】
本発明の光ファイバテープ心線の配線固定方法によれば、光ファイバテープ心線に対して取り付けおよびスライド移動が容易にできるスパイラルチューブを用いて、光ファイバテープ心線を束ねて光ファイバテープ心線群を形成し、光ファイバテープ心線群を、スパイラルチューブを介して心線固定部に固定部材で固定したものであるために、例えばスパイラルチューブを任意の位置に容易に取り付け、光ファイバテープ心線の長手方向に容易にスライド移動させることにより、スパイラルチューブの位置を、容易に心線固定部の位置に合わせして、光ファイバテープ心線を非常に容易に配線固定することができる。
【００３６】
そして、本発明の光ファイバテープ心線の配線固定方法によれば、上記のように、スパイラルチューブを心線固定部の取り付け位置に容易に位置合わせして配線固定できるために、心線固定部がどのような位置にあっても、心線固定部の取り付け位置が変更されても、容易にスパイラルチューブの位置を心線固定部の位置に位置合わせして、光ファイバテープ心線を容易に配線固定することができる。したがって、本発明によれば収納架などの光ファイバテープ心線の配線装置の構造によらず、光ケーブルから引き出した光ファイバテープ心線を非常に容易に配線固定することができる。
【００３７】
また、本発明の光ファイバテープ心線の配線固定方法によれば、光ファイバテープ心線を配線する際に、スパイラルチューブを光ファイバテープ心線の長手方向に沿って間隔を介して複数設けるために、例えば心線固定部の先の光ファイバテープ心線にもスパイラルチューブを設けた状態とすることができ、このようにすると、光ファイバテープ心線を心線固定部から接続部に導くときに、光ファイバテープ心線がばらばらになることを防ぐことができ、光ファイバテープ心線を対応する接続部に導出して接続する作業も行ないやすくすることができる。
【００３８】
さらに、本発明の光ファイバテープ心線の配線固定方法によれば、複数設けたスパイラルチューブの内、例えば心線固定部の先の光ファイバテープ心線に設けたスパイラルチューブに、光ケーブルのどのスロットから光ファイバテープ心線を引き出したかを識別できるように、スロット識別用の識別テープ等の識別部材を取り付けることができるため、このようにすれば、光ファイバテープ心線を対応する接続部に導出して接続する作業も非常に行ないやすいし、光ファイバテープ心線の接続後にも、どのスロットから引き出された光ファイバテープ心線がどの接続部に接続されているかを一目で識別することができ、非常に便利である。
【図面の簡単な説明】
【図１】  本発明に係る光ファイバテープ心線の配線固定方法により光ファイバテープ心線を配線した収納架装置の一例を示す要部断面構成図である。
【図２】本発明に係る光ファイバテープ心線の配線固定方法の一実施形態例における光ファイバテープ心線へのスパイラルチューブ取り付け状態を示す説明図である。
【図３】スパイラルチューブの構造を示す説明図である。
【図４】従来の光ファイバテープ心線の配線固定構造により光ファイバテープ心線を配線した収納架装置の断面構成を示す説明図である。
【図５】光ケーブルの一例を示す断面説明図である。
【符号の説明】
１  光ファイバ
２  光ファイバテープ心線
３  スパイラルチューブ
５  心線固定部
８  固定部材
９  光ケーブル
１１ａ，１１ｂ  光コネクタ接続部
１２  光ファイバテープ心線群
１３  光コネクタ
１６  収納架
【図１】
0003717327.tif 000002
【図２】
0003717327.tif 000003
【図３】
0003717327.tif 000004
【図４】
0003717327.tif 000005
【図５】
0003717327.tif 000006